(57)【特許請求の範囲】
【請求項１】
放送番組に放送系列局識別情報が重畳されて成る多重放送に関し、受信可能な周波数帯内で受信周波数を順次変更し、受信状態が良好な放送局を順次選局して所定数の放送局データを抽出しメモリに格納するオートストア機能を備えた放送受信装置であって、
前記受信状態が良好な放送局を選局した結果得られる放送局データの数と、前記所定数の放送局データが格納されるメモリの許容記憶局数とに応じ、前記メモリへ格納する同一系列局の放送局データの数を変化させる制御手段を備え、
前記制御手段は、
前記同一系列局以外の放送データが前記メモリの許容記憶局数に満たないとき、前記満たない放送局数分に相当する同一系列局の放送局データを電界強度が高い順に抽出し、当該抽出された放送局データと、同一系列局以外の放送局データとから成る前記メモリの許容記憶局数に相当する放送局データを前記メモリへ格納することを特徴とする放送受信装置。
【発明の詳細な説明】
【技術分野】
【０００１】
この発明は、放送番組に放送系列局識別情報が重畳されて成る多重放送を受信するオートストア機能を備えた放送受信装置に関するものである。
【背景技術】
【０００２】
放送局の電波の副搬送波にプログラム識別ＩＤ（ＰＩ：Ｐｒｏｇｒａｍ  Ｉｄｅｎｔｉｆｉｃａｔｉｏｎ  コード）を重畳して音声放送を行う放送形態が知られている。
代表的には、欧州で広く普及しているＦＭ多重放送であるラジオデータシステム（ＲＤＳ）、米国におけるラジオブロードキャストデータシステム（ＲＢＤＳ）、ディジタルオーディオブロードキャスティング（ＤＡＢ）が知られている。例えば、ＲＤＳ放送受信装置では、ＰＩコードの５ビット目から８ビット目に地域範囲コードが割り当てられており、この地域範囲コードを放送系列局識別情報として参照することにより、同じ放送番組の放送を行っている放送局（同じ放送系列局に属する放送局）を判別することができる。
【０００３】
ところで、カーラジオ受信装置には、受信可能な周波数帯内で受信状態の良好な放送局を順次サーチしてメモリに格納する機能（以下、オートストア機能という）が備えられていることが多い。このオートストア機能によれば、受信電界強度が高い放送局順にその放送周波数をメモリに格納し、このメモリに格納された放送周波数による放送番組をユーザに提供することができる。
ところが、上記したオートストア機能によれば、図４（ａ）（ｂ）に示されるように、メモリ（例えば、６個の第２メモリ）に受信電界強度が高い順に受信可能な放送局の放送周波数が格納される関係上、ＦＭ多重放送局が集中配置された地域では、系列局の放送周波数が何局も重複してメモリに格納されることになり、受信電界強度が比較的低い異なる系列のＦＭ多重放送は受信電界強度の測定時に除外されてメモリに格納されない。系列放送局は、時間帯によっては同じ番組を放送していることが多いため、メモリに系列放送局の放送データが多く格納された場合、オートストア機能が持つ利便性を損なうことになる。
【０００４】
上記した問題を解決するために、オートストア機能によるＦＭ多重放送信号受信時にプログラム識別ＩＤを監視し、系列放送局の放送データを除外してメモリへの格納を回避するＦＭ多重放送受信機が知られている（例えば、特許文献１参照）。
【０００５】
【特許文献１】特開平８−６５１１０号公報（段落「０００９」〜「００１１」、図１）
【発明の開示】
【発明が解決しようとする課題】
【０００６】
従来の放送受信装置は、上記した特許文献１に開示された技術によれば、図５（ａ）（ｂ）に示されるように、同じ系列放送局であれば、その放送周波数を１個だけ選択し、残りをメモリ（例えば、６個の第２メモリ）への格納対象から除外するため、メモリに選択性のある放送周波数を効率的に格納することができる。したがって、ユーザはオートストア機能が持つ利便性を享受できる。
しかしながら、受信可能な放送局数が比較的少ない地域において上記したオートストア機能を実行した場合、図５（ｂ）に示されるように、メモリに異なる放送系列放送局の放送周波数を優先的に格納するが、メモリに残容量があるにもかかわらず、合計３個の放送局分に相当する放送周波数しか格納されない。すなわち、有限のメモリを有効利用することなく、結果的にオートストア局数が減少し、ユーザはオートストア機能が持つ利便性を十分に享受することができない等の課題があった。
【０００７】
この発明は上記のような課題を解決するためになされたもので、有限のメモリに選択性のある放送周波数を効率的に格納するとともに、受信可能な放送局数が比較的少ない地域においてもオートストア局数を減少させることなくオートストア機能が持つ利便性を享受できる放送受信装置を得ることを目的とする。
【課題を解決するための手段】
【０００８】
この発明にかかわる放送受信装置は、放送番組に放送系列局識別情報が重畳されて成る多重放送に関し、受信状態が良好な放送局を選局した結果得られる放送局データの数と、所定数の放送局データが格納されるメモリの許容記憶局数とに応じ、メモリへ格納する系列放送局の数を変化させる制御手段を備え、制御手段は、同一系列局以外の放送データがメモリの許容記憶局数に満たないとき、満たない放送局数分に相当する同一系列局の放送局データを電界強度が高い順に抽出し、当該抽出された放送局データと、同一系列局以外の放送局データとから成るメモリの許容記憶局数に相当する放送局データをメモリへ格納するものである。
【０００９】
この発明にかかわる放送受信装置は、メモリに最終的に格納された所定数の放送局を動的にリスト出力する制御手段を備えたものである。
【発明の効果】
【００１０】
この発明によれば、受信状態が良好な放送局を選局した結果得られる放送局の数と、所定数の放送局を格納するメモリの許容記憶局数とに応じ、メモリへ格納する系列放送局の数を変化させることにより、有限のメモリに選択性のある放送周波数を効率的に格納することができ、また、受信可能な放送局数が比較的少ない地域においてもオートストア局数を減少させることなくオートストア機能が持つ利便性を享受できる放送受信装置を得ることができる。
【発明を実施するための最良の形態】
【００１１】
以下、この発明をより詳細に説明するために、この発明を実施するための最良の形態について、添付の図面に従って説明する。
実施の形態１．
図１は、この発明の実施の形態１にかかわる放送受信装置の内部構成を示すブロック図である。ここでは、放送受信装置として、欧州で広く普及しているＦＭ多重放送を受信するＲＤＳ受信装置が例示されている。
【００１２】
図１においては、ＲＤＳ受信装置は、受信機１と、放送データ復調部２と、例えば、マイクロコンピュータにより構成される制御手段３と、オートストア用メモリ４と、入力部５と、表示部６とで構成される。
受信機１は、例えば、音声放送を複数の放送局から選択的に受信して放送波を受信すると中間周波数（１Ｆ）信号に変換して放送データ復調部２へ出力する。また、放送データ復調部２は、受信機１によって出力されるＩＦ信号を増幅した後、検波復調し、ここで生成される復調信号を制御手段３へ出力する。
【００１３】
制御手段３は、受信状態が良好な放送局を選局した結果得られる放送局の数と、選局した放送局を格納するオートストトア用メモリ４（第２メモリ４２）が許容する放送局の数（メモリ許容記憶局数）とに応じて第２メモリ４２への格納を排除する系列放送局の数を変化させる機能を持ち、主制御部３０と、受信周波数設定部３１と、電界強度検出部３２と、ＩＤ検出部３３と、メモリ制御部３４とで構成される。
【００１４】
受信周波数設定部３１は、受信可能周波数帯内における受信周波数を順次変更して受信機１による放送波の受信を制御する。また、電界強度検出部３２は、受信周波数毎、受信電界強度を検出し、その電界強度によってＩＤ検出部３３を起動するとともに、主制御部３０へ出力する。
ＩＤ検出部３３は、電界強度検出部３２により検出された受信電界強度が所定値を越えたときに、放送データ復調部２により復調される放送データに含まれる放送系列局識別情報（ＩＤ）としてのＰＩコードを検出して主制御部３０へ出力する。
【００１５】
主制御部３０は、受信周波数設定部３１に周受信波数を設定して選局した結果、電界強度検出部３２により出力される電界強度が所定値を超えたときに、その放送局の放送周波数と、そのときＩＤ検出部３３によって検出されるＰＩコードとを対応付けてオートストア用メモリ４（第１メモリ４１）に格納する。
上記したように、オートストア用メモリ４には、第１メモリ４１と第２メモリ４２とが割り付けられている。具体的に、図３（ａ）（ｂ）に示されるように、第１メモリ４１には、受信状態の良好なａ個（ここでは１２個）の放送局の受信周波数と、その放送周波数毎、ＩＤとしてのＰＩコードならびにその電界強度情報とから成る放送局データが格納され、また、第２メモリ４２には、最終的に選択されるｎ個（ここでは６個）の公称最大オートストア局数に相当する放送周波数と、そのＰＩコードとから成る放送局データが格納される（但し、ａ＞ｎ）。ここで、公称最大オートストア局数とは、第２メモリ４２が格納できる放送局データの数（メモリ許容記憶局数）をいう。
【００１６】
主制御部３０はまた、第１メモリ４１に格納された放送局データの数が、第２メモリ４２が格納可能な所定数の放送局データの数に満たない場合は、第１メモリ４１に格納された全ての放送局データを第２メモリ４２に格納し、第１メモリ４１に格納された放送局の数が、第２メモリ４２が格納できる所定数の放送局データの数を超える場合は、第１メモリ４１に格納された放送局の放送周波数毎にＰＩコードを参照して同じ放送系列局か否かを判定する。
【００１７】
主制御部３０は更に、同じ放送系列局以外の放送局データの数が、第２メモリ４２が格納できる所定数の放送局データの数を超える場合、第１メモリ４１に格納された放送局データの放送周波数を電界強度の高い順に第２メモリ４２に格納し、同じ放送系列局以外の放送局データの数が、第２メモリ４２が格納できる所定数の放送局データの数に満たない場合、当該満たない放送局データの数に相当する同じ放送系列局の放送局の放送周波数を電界強度の高い順に第２メモリ４２に格納する。
なお、オートストア用メモリ４に割り付けられる第１メモリ４１と第２メモリ４２への放送局データ（放送周波数、電界強度情報およびＰＩコード）のリードライトは、主制御部３０による制御の下でメモリ制御部３４を介して行われる。
【００１８】
主制御部３０はまた、メモリ制御部３４を制御して、ｎ個の公称最大オートストア局数に相当する放送周波数が第２メモリ４２に格納された段階で、必要に応じ、その格納された内容を確認して最終オートストア局情報として表示部６に出力する。
なお、入力部５には、オートストア用メモリ４に格納された放送局の放送周波数に対応した放送番組をワンタッチで選択受信する選局キーと、オートストア機能を起動するためのオートストアキーが配置されているものとする。
【００１９】
図２は、この発明の実施の形態１にかかわる放送受信装置の動作を説明するために引用したフローチャートである。
以下、図２のフローチャートを参照しながら、図１に示す放送受信装置の動作について詳細に説明する。
【００２０】
まず、電界強度検出部３２は、受信周波数設定部３１により設定される放送周波数の電界強度情報を受信機１出力に基づき検出して主制御部３０へ出力し、主制御部３０は、その電界強度が所定値を超えるか否かを判定する（ステップＳＴ２０１）。
主制御部３０は、受信可能な放送局と判断できる所定値以上の電界強度であると判定した場合（ステップＳＴ２０１“ＹＥＳ”）、放送データ変調部２によって出力される復調データからＩＤ検出部３３を介してＰＩコードを検出し（ステップＳＴ２０２）、そのＰＩコードを取得してメモリ制御部３４を制御し、その放送局データをオートストア用メモリ４の第１メモリ４１に格納する（ステップＳＴ２０３）。なお、ＰＩコードが取得できない場合は、オートストア用メモリ４の第１メモリ４１に電界強度順に格納するものとする。
【００２１】
上記した一連の動作（ステップＳＴ２０１〜ＳＴ２０３）は、主制御部３０が、受信周波数設定部３１を制御することにより、受信機１が受信可能な周波数帯の全周波数について繰り返し実行される（ステップＳＴ２０４）。
このことにより、オートストア用メモリ４の第１メモリ４１には、例えば、図３（ａ）（ｂ）に示されるように、電界強度が所定値を超える放送局の放送周波数Ａ〜Ｌと、その電界強度情報と、ＰＩコードとが放送局データとして、第１メモリ４１のメモリ許容記憶局数に相当するａ（１２）個分だけ対応付けられ格納される。
【００２２】
上記した全周波数について電界強度検出およびＩＤ検出処理が終了した後、主制御部３０は、メモリ制御部３４を制御してオートストア用メモリ４を参照し、第１メモリ４１にａ（１２）個分の放送局データが有るか否かを判定する（ステップＳＴ２０５）。
ここで、第１メモリ４１にａ（１２）個分の放送局データが無いと判定された場合（ステップＳＴ２０５“ＮＯ”）、主制御部３０は、メモリ制御部３４を制御して第１メモリ４１に格納された放送局データの全てを放送周波数順に第２メモリ４２へ格納する（ステップＳＴ２１６、２１７）。第２メモリ４２に格納された放送データは、最終オートストア情報として表示部６に表示することができる。
【００２３】
一方、ステップＳＴ２０５の判定処理において、第１メモリ４１にａ（１２）個分の放送局データが有ると判定された場合（ステップＳＴ２０５“ＹＥＳ”）、主制御部３０は、メモリ制御部３４を制御して放送局データの放送周波数毎に対応するＩＤ（ＰＩコード）を参照し（ステップＳＴ２０６）、その放送局データは、同一系列局以外の放送局データであるか否かを判定する（ステップＳＴ２０７）。
ここで、同一系列局以外の放送局であると判定された場合（ステップＳＴ２０７“ＹＥＳ”）、主制御部３０は、同一系列局以外の放送局数をカウントして（ステップＳＴ２０８）し、その放送局数がオートストア用メモリ４を構成する第２メモリ４２の容量（許容記憶桁数）以上あるか否かを判定する（ステップＳＴ２０９）。
【００２４】
同一系列局以外の放送局数が第２メモリ４２の許容記憶桁数ｎ（６）以上あると判定された場合（ステップＳＴ２０９“ＹＥＳ”）、主制御部３０は、第１メモリ４１に格納された同一系列局の放送データについて、最大の電界強度を持つ放送局データを１局分だけ抽出し（ステップＳＴ２１０）、続いて、同一系列局以外の放送局データを電界強度が高い順にｎ−１（５）局分だけその放送データを抽出し（ステップＳＴ２１１）する。
そして、主制御部３０は、合計でｎ（６）局分の放送データを抽出したとき（ステップＳＴ２１２“ＹＥＳ”）、放送周波数順に並べ替え（ステップＳＴ２１６）、メモリ制御部３４を制御して第２メモリ４２へ格納する（ステップＳＴ２１７）。
【００２５】
一方、ステップＳＴ２０７の判定処理において、ＩＤ参照の結果、同一系列局であると判定された場合（ステップＳＴ２０７“ＮＯ”）、あるいは、ステップＳＴ２０９の判定処理において、同一系列局以外の局数がｎ局に満たないと判定された場合（ステップＳＴ２０９“ＮＯ”）、主制御部３１は、満たないと判定された局数分に相当する同一放送系列の放送局データを電界強度の高い順に抽出し（ステップＳＴ２１３）、当該抽出された放送局データと、同一系列局以外の放送局データとを加算してｎ局分の放送データを抽出する処理を行う（ステップＳＴ２１４）。
そして、合計でｎ（６）局分の放送データを抽出したとき（ステップＳＴ２１５“ＹＥＳ”）、放送周波数順に並べ替え（ステップＳＴ２１６）、メモリ制御部３４を制御して第２メモリ４２へ格納する（ステップＳＴ２１７）。
【００２６】
図３（ａ）（ｂ）は、受信可能な同一放送系列局が比較的少ない地域で本発明を実施してオートストア機能を実行した場合、受信可能な同一放送系列局が比較的多い地域で本発明を実施してオートストア機能を実行した場合のそれぞれにおけるオートストア用メモリ４のデータ構造の一例を示す。
ここで、オートストア用メモリ４を構成する第１メモリ４１は、放送局をａ個分格納できる容量を持ち、第２メモリ４２は、放送局をｎ個分格納できる容量（許容記憶桁数）を持つこととする（但し、ａ＞ｎ）。
【００２７】
上記した実施の形態１によれば、第１メモリ４１に格納された放送局データ数が、第２メモリ４２が許容するｎ個の放送局データ数を超える場合は、第１メモリ４１に格納された放送局データ毎にＩＤ（ＰＩコード）を参照してその放送局データが同一系列局か否かを判定する。
そして、ＩＤ参照の結果、同一系列局以外の放送局データの数が、第２メモリ４２が許容する６個の放送局データ数を超える場合は、例えば、図３（ａ）に示されるように、第１メモリ４１に格納された同一系列局の放送局データ（放送周波数Ａ〜Ｄ）に関し、最大の電界強度を有するＡのみ抽出し、また、残る異なる系列の放送局データ（放送周波数Ｅ〜Ｌ）に関し、電界強度が高い順に５局分の放送データを抽出し（放送周波数Ｌ、Ｉ、Ｇ、Ｈ、Ｊ）、当該抽出した５局分の放送データと、先に抽出した同一系列局の放送データのうち最大の電界強度を持つ１局分の放送データ（放送周波数Ａ）を、放送周波数が低い順に並べ替え（放送周波数Ａ、Ｇ、Ｈ、Ｉ、Ｊ、Ｌ）、第２メモリ４２へ格納するものである。
【００２８】
また、同一系列局以外の放送局データ数が、第２メモリ４２が許容する放送データ数に満たない場合は、例えば、図３（ｂ）に示されるように、当該満たない放送局データ数（４）に相当する同一系列局の放送局データを電界強度が高い順に抽出し（放送周波数Ｅ、Ｄ、Ｇ、Ｉ）、当該抽出した４局分の放送データと、残る２局分の同一系列局の放送データ（放送周波数Ｋ、Ｌ）とを、放送周波数が低い順に並べ替え（放送周波数Ｄ、Ｅ、Ｇ、Ｉ、Ｋ、Ｌ）、第２メモリ４２へ格納するものである。
したがって、入力部５に割り当てられた選局キーの総数に匹敵する数の異なる系列局の放送周波数が優先的にオートストアされるとともに、第２メモリ４２に空きを生じさせることなく許容するｎ個分のメモリ許容記憶局数だけ放送局データを格納することにより、有限の選局キーを有効に利用することができる。
【００２９】
以上説明のように、この発明の実施の形態１によれば、有限のオートストア用メモリ４（第２メモリ４２）に、より多くの異なる放送系列局の放送局データを優先して格納することができ、したがって、ユーザに選択性のある放送を選局できるよう利便性を提供することができる。
また、受信可能な放送局が比較的少ない地域においては、系列放送局を排除することなく公称最大放送局数分だけオートストア用メモリに格納することで、オートストア用メモリに空きが発生することによるオートストア局の減少がなくなり、ユーザに選択性のある放送を選局できるよう利便性を提供することができる。
【００３０】
なお、本発明は、上記したオートストア機能によらず、受信可能な周波数帯域の中から受信状態が良好な複数の放送局データを抽出する処理においても同様、異なる系列局の放送データを蓄積することが可能であり、例えば、ユーザ操作を介することなく、動的に受信可能な放送周波数を表示部６にリスト出力する、所謂ステーションリスト機能等にも適用することが可能である。
また、実施の形態１よれば、ＲＤＳ放送受信装置のＰＩコードをＩＤとして利用する方式についてのみ説明したが、放送系列局識別情報として使用出来る副搬送波が放送電波に重畳されていれば、いかなる副搬送波でも同様の機能の実装が可能であり、その利便性を簡単に提供することができる。例えば、車載テレビのデジタル副搬送波による選局リスト等も同様に提供することが可能である。
【００３１】
以上のように、この発明に係る放送受信装置は、放送系列局識別情報が重畳されて成る多重放送に関し、オートストア機能により、メモリの許容記憶局数に応じて、メモリへ格納する同一系列放送局の数を変化させることで、効率的に格納するような制御手段にしたもので、ＦＭ多重放送（例えば、ＲＤＳ、ＲＢＤＳ、ＤＡＢ）の受信装置などに用いるのに適している。
【図面の簡単な説明】
【００３２】
【図１】この発明の実施の形態１にかかわる放送受信装置の内部構成を示すブロック図である。
【図２】この発明の実施の形態１にかかわる放送受信装置の動作を説明するために引用したフローチャートである。
【図３】この発明の実施の形態１にかかわる放送受信装置が使用するオートストア用メモリのデータ構造の一例を示す図である。
【図４】従来の放送受信装置が使用するオートストア用メモリのデータ構造の一例を示す図である。
【図５】従来の放送受信装置が使用するオートストア用メモリのデータ構造の一例を示す図である。
【符号の説明】
【００３３】
１  受信機、２  放送データ復調部、３  制御手段、４  オートストア用メモリ、５  入力部、６  表示部、３０  主制御部、３１  受信周波数設定部、３２  電界強度検出部、３３  ＩＤ検出部、３４  メモリ制御部、４１  第１メモリ、４２  第２メモリ。
【図１】
0004402157.tif 000002
【図２】
0004402157.tif 000003
【図３】
0004402157.tif 000004
【図４】
0004402157.tif 000005
【図５】
0004402157.tif 000006